(57)【要約】【技術課題】  弾性材の復元力を維持し、確実且つ簡単にキャップをロックし、解除することができるキャップの自開機構を提供する。【解決手段】  ヒンジ３の内側に弾性材４を取り付けると共にこの弾性材４の変形方向にストッパーブロック７を設けて変形をＳ字状になるように規制する。また、キャップ２側の係合片１０、１０ａをプッシュ片１８のフック１６、１６ａと係合突片１５、１５ａ内に挟み込むようにして止めることによりロックを確実なものにすると共にプッシュ片１８を押すとフック１６、１６ａが上方回転し、係合突片１５、１５ａから離れるため、係合片１０、１０ａが解放されて蓋２は弾性材４の復元力で自開する。【選択図】        図  １
2005289426.tif 000002
【特許請求の範囲】
【請求項１】
容器本体とキャップとをヒンジで連結すると共にこのヒンジの内側に容器本体側に基部を止め、先端側をキャップの内側のコーナー部に延長した弾性材を取り付けて成る自開式キャップにおいて、前記容器本体側であって、弾性材の内側にストッパーブロックを形成し、このストッパーブロックによりキャップを閉じたときに弾性材の変形がＳ字状に規制されるように構成したこと、
前記キャップにおいて、前記ヒンジと反対側に切り欠き部を形成し、この切り欠き部の内側に二枚の係合片を間隔をあけて形成すると共にこの係合片の内側に小さな間隔を置いて円形のキャップ側リブを形成したこと、
容器本体において、容器の口の周囲に容器側リブを形成し、このリブから外側に向けて二枚の係合突片を形成し、この係合突片の外側において、係合突片に夫々対向するようにフックを形成し、前記フック側が支点を中心に上下に回動してロックを解放するプッシュ片を形成したこと、
を特徴とする自開式キャップ機構。
【請求項２】
請求項１の弾性材は、帯状から成ることを特徴とする自開式キャップ機構。
【発明の詳細な説明】
【技術分野】
【０００１】
本願発明は、ワンタッチで自開するキャップ機構に関するものである。
【背景技術】
【０００２】
容器本体と蓋とをヒンジで連結し、このヒンジの内側に弾性材を取り付けておき、閉蓋時に前記弾性材に蓄勢を行い、プッシュ式の開蓋爪を操作するとロックが外れて前記弾性材に蓄勢された復元力で自開するキャップ機構は公知である。
【０００３】
【特許文献１】ＵＳ特許第４７１１３６０号                                      この発明は、容器本体側に弾性体を突出させておき、閉蓋時にはこの弾性体を折り曲げ、ロックが外れると弾性体の復元力で蓋が自開する構成である。  しかし、この特許文献１に記載されている蓋のロック機構は不明である。
【０００４】
【特許文献２】ＵＳ特許第５９６２２１６号                                      この発明は、容器本体とヒンジキャップのヒンジの部分に弾性部材を嵌め込んでおき、閉蓋時にこの弾性部材を圧縮し、ロックが外れると弾性部材の復元力で蓋が自開する構成である。  しかし、この特許文献２においては、蓋と容器本体とのロック機構は慣用のもので、格別の工夫が払われていない。
【０００５】
【特許文献３】特開２００２‐２１１６１５号                                    この発明は、ボタン操作で自動開動を可能としたキャップでは、キャップ本体の上面に操作用の板材が設けられていたので、キャップカバーを開けると板材自体やその周辺構造が丸見えになってしまい、見栄えが悪い。また、板材の可動部分に内容物等が染み込んで動きが悪化するのを防止するために、キャップ本体２は甲板部１０を有したものとしてあり、開閉用ヒンジ４の内側へ押し込み開動力を伝えるための操作部材５は、キャップカバー３を開いた状態でも、その殆どが覆い隠されており、そのため、見栄えがよくなり、また操作部材５の可動部分に内容物が染み込み難くなるので、その動きが悪化することがないと云う構成である。  しかし、この発明においても、カバーのロック機構については格別の工夫が払われていない。
【０００６】
【特許文献４】特開平７−２９１３２６号                                        この発明は、いわゆる３点ヒンジ式のキャップの開操作の操作性を向上させるために、注出口が設けられたキャップ本体１０に、注出口を開閉する蓋体２０が第１ヒンジ３１を介して回動可能に設け、キャップ本体１０と蓋体２０との間には略Ｕ字形をなす帯板４０を配し、帯板４０は板ばねの作用をし、その一端は第２ヒンジ３２を介してキャップ本体１０に回動可能に取り付け、帯板４０の他端は第３ヒンジ３３を介して蓋体２０に回動可能に取り付け、全閉時における第３ヒンジ３３の回動中心を、第１ヒンジ３１の回動中心と第２ヒンジ３２の回動中心を通る仮想平面Ｃよりも開放側に位置させてキャップ本体１０と蓋体２０の前端部には全閉時に係合する掛止突起を設けたものである。  しかし、この発明においても、キャップの係合機構については格別の工夫が払われていない。
【０００７】
【特許文献５】実用新案登録第３０９１９９８号                                  この考案は、低コストにより製造できる自開式 ヒンジキャップ を提供することを目的に、 キャップ本体１にヒンジ３、３ａを介して蓋２を射出成形用金型を用いて一体成形すると共に前記キャップ本体１と蓋２を前記ヒンジ３、３ａ部分において伸縮性開放部材４で連結し、この伸縮性開放部材４の収縮の作用により前記蓋２をヒンジ３、３ａを中心として自開するように構成する。そして、前記伸縮性開放部材４も、射出成形用金型を用いて、蓋２の成形時に一体成形（二色射出成形）すると云うものである。  しかし、この考案においても、キャップのロック機構については格別の工夫が払われていない。
【発明の開示】
【発明が解決しようとする課題】
【０００８】
本発明の目的は、ヒンジの内側に弾性材を組み込み、この弾性材の復元力で９０°以上自開するキャップ機構において、ロックが確実に行われると共に、軽い操作で前記ロックの解除を行うことができると共に、前記弾性材の疲労による復元力の低下を補う工夫を施したキャップの自開機構を提案するのが目的である。
【課題を解決するための手段】
【０００９】
上記目的を達成するため、請求項１に記載の発明においては、自開式キャップ機構において、容器本体とキャップとをヒンジで連結すると共にこのヒンジの内側に容器本体側に基部を止め、先端側をキャップの内側のコーナー部に延長した弾性材を取り付けて成る自開式キャップにおいて、前記容器本体側であって、弾性材の内側にストッパーブロックを形成し、このストッパーブロックによりキャップを閉じたときに弾性材の変形がＳ字状に規制されるように構成したこと、
前記キャップにおいて、前記ヒンジと反対側に切り欠き部を形成し、この切り欠き部の内側に二枚の係合片を間隔をあけて形成すると共にこの係合片の内側に小さな間隔を置いて円形のキャップ側リブを形成したこと、
容器本体において、容器の口の周囲に容器側リブを形成し、このリブから外側に向けて二枚の係合突片を形成し、この係合突片の外側において、係合突片に夫々対向するようにフックを形成し、前記フック側が支点を中心に上下に回動してロックを解放するプッシュ片を形成したこと、
を特徴とするものである。
【００１０】
更に、請求項２に記載の発明においては、請求項１の弾性材は、帯状から成ることを特徴とするものである。
【発明の効果】
【００１１】
本発明は以上の如き構成から成り、次の効果を奏する。
１．弾性材の内側にストッパーブロックを形成したことにより、弾性材の変形はこのスト  ッパーブロックで押えられ、Ｓ字状に変形するため、蓄力が増し、自開がスムーズに行  われると共に、弾性材に疲労が発生しても復元力は失われない。
２．ロック機構は、キャップ側の係合片を容器側リブの係合突片との間に挟み込んで止め  るため、ロックが確実であると共にプッシュ片１８を僅かに押すだけでロックが外れる  効果がある。
３．弾性材を除き、すべて一体成形することにより、製作コストの低減が可能である。
【実施例】
【００１２】
図１は、本発明を実施した自開式キャップ機構を有する容器の斜視図、図２はキャップと容器本体の口部を示す一部を断面した側面図、図３（Ａ）〜（Ｄ）は自開機構の作用説明図、図４（Ａ）〜（Ｃ）はロック機構の作用説明図である。
これらの各図を用いて本発明の実施例を詳細に説明する。
【００１３】
容器本体１はキャップ２とヒンジ３で一体に連結されていると共にこのヒンジ３の内側は基部５を容器本体１側に止め、先端側６をキャップ２の内側のコーナー部に延長した弾性材４が取り付けられている。７は容器本体１側であって、弾性材４の内側に形成されたストッパーブロックであって、このストッパーブロック７によりキャップ２を閉じたときに弾性材４の変形が規制され、最終的にはＳ字状に変形して蓄力が行われる。
８はキャップ２の係合部であって、この係合部８は、前記ヒンジ３と反対側に切り欠き部９を形成し、この切り欠き部９の内側に二枚の係合片１０、１０ａを形成すると共にこの係合片１０、１０ａの内側に小さな間隔を置いて円形のキャップ側リブ１１が形成されている。
１２はブッシュ装置であって、容器本体１において、容器本体１の口１３の周囲に容器側リブ１４を形成し、このリブ１４から外側に向けて二枚の係合突片１５、１５ａを形成し、この係合突片１５、１５ａの外側に内向きのフック１６、１６ａを２ヶ所に形成し、支持片１７を中心に前記フック１６、１６ａ側を上下に回動するプッシュ片１８を形成した構成である。
【００１４】
上記自開機構は、図３（Ａ）に示す状態から（Ｂ）に示すようにキャップを閉じてくると弾性材４が変形し、（Ｃ）に示すようにストッパーブロック７で変形が押えられるとＳ時形に変形し、更にキャップ２が閉じられると（Ｄ）に示すようにストッパーブロックで止めた弾性材４はＳ字状に圧縮されて蓄力される。
一方、ロック機構側においては、図４（Ａ）に示すように、キャップ２が閉じる寸前から、（Ｂ）に示すようにキャップ２が閉じられると、係合片１０、１０ａが係合突片１５、１５ａとフック１６、１６ａの間に入り、ロックされる。
ロックを開放する場合には、（Ｃ）に示すようにブッシュ片１８を下方に押すと、フック１６、１６ａが上方に逃れることから、係合片１０、１０ａは突片１５、１５ａから外れ、キャップ２は前記弾性材４の復元力で自開する。
【図面の簡単な説明】
【００１５】
【図１】本発明に係るキャップの自開機構を実施した容器とキャップの説明図
【図２】本発明に係るキャップの自開機構を実施した容器とキャップの側面図
【図３】（Ａ）〜（Ｄ）は自開機構の作用説明図
【図４】（Ａ）〜（Ｃ）はロック機構の説明図
【符号の説明】
【００１６】
１  容器本体
２  キャップ
４  弾性材
７  ストッパーブロック
１０、１０ａ  係合片
１２  ロック機構
１５、１５ａ  係合突片
１６、１６ａ  フック
１８  プッシュ片
【図１】
2005289426.tif 000003
【図２】
2005289426.tif 000004
【図３】
2005289426.tif 000005
【図４】
2005289426.tif 000006